(57)【要約】【課題】本発明はホーン又は導波管を有する拡声装置の、前記ホーン又は導波管の分散特性を適合させることを可能にする改善に関する。【解決手段】本発明の電気音響増強装置は、取り外し可能な分散形成部材を構成し、喉（１７）と口（１９）の間のホーン（１３）又は導波管の内壁に装着可能な、少なくとも１つの形状形成部品（２１a、２１ｂ）を備えることを特徴とする。
2004537939.tif 000002
【特許請求の範囲】
【請求項１】
電気音響変換器（１５）が接続される喉（１７）と、音が外部媒体へと伝えられる口（１９）との間に画定されるホーン（１３）又は音響導波管を有する電気音響増強装置であって、
取り外し可能な分散形成部材を構成し、前記ホーン又は導波管の内部形状を部分変更するために前記喉と前記口の間の前記ホーン又は導波管の内壁に装着するように形成された、少なくとも１つの形状形成部材（２１a、２１ｂ）を含むことを特徴とする電気音響増強装置。
【請求項２】
前記ホーン又は導波管の前記内壁の対向する面に、それぞれ装着されるように適合された、少なくとも２つの形状形成部材（２１a、２１ｂ）を含むことを特徴とする請求項１に記載の電気音響増強装置。
【請求項３】
前記喉と前記口の間を延伸する対称面（P）を有するホーン又は導波管を備える種類の電気音響増強装置であって、
前記対称面を保つ位置において、対向する面（２５a、２５ｂ）に、それぞれ装着されるように適合された、前記２つの対称な形状形成部材（２１a、２１ｂ）を含むことを特徴とする請求項２に記載の電気音響増強装置。
【請求項４】
各形状形成部材（１２１a、１２１ｂ）は、前記内壁の平面に対して傾き、前記平面と前記喉の近傍で交わるガイド平面（３０）を有することを特徴とする請求項３に記載の電気音響増強装置。
【請求項５】
各形状形成部材（２１a、２１ｂ）は、前記対称面（P）に実質的に平行で、第２のガイド面（２９）につながり、前記第２のガイド面と二面鈍角を成す、第1のガイド面（２７）を有することを特徴とする請求項２に記載の電気音響増強装置。
【請求項６】
各形状形成部材（２２１a、２２１ｂ）は、前記対称面に実質的に平行な喉部分（３４）と、これにつながり、前記対称面から離れていく口部分（３６）とから成る、前記喉部分から始まるカーブした形状のガイド面を有することを特徴とする請求項３に記載の電気音響増強装置。
【請求項７】
一方の前記ホーン又は導波管と、他方の形状形成部材のそれぞれ、又は一つとがナットとボルト型結合手段を含むことを特徴とする請求項１〜６のいずれか一項に記載の電気音響増強装置。
【請求項８】
一方の前記ホーン又は導波管と、他方の形状形成部材のそれぞれ、又は一つとが接着性結合手段を含むことを特徴とする請求項１〜６のいずれか一項に記載の電気音響増強装置。
【請求項９】
一方の前記ホーン又は導波管、及び／又は他方の形状形成部材のそれぞれ、又は一つが磁性部材を用いた結合手段を含むことを特徴とする請求項１〜６のいずれか一項に記載の電気音響増強装置。
【請求項１０】
電気音響変換器が接続される喉と、音が外部媒体へと伝えられる口との間に画定されるホーン又は音響導波管を有する電気音響音増強装置において、
前記ホーン又は導波管は、分散形成部材を構成する少なくとも１つの形状形成部材を固定する手段を備えることを特徴とする電気音響増強装置。
【発明の詳細な説明】
【技術分野】
【０００１】
本発明は、ホーン又は音響導波管を有する電気音響増強装置に関する。特に、上記ホーン又は音響導波管の分散特性を、上記増強装置が設置された場所の構成に対応して、適合させるための改善に関する。
【背景技術】
【０００２】
音響ホーン又は導波管を有する電気音響増強装置は、屋外又は広い室内用の音響増強システムにおいて、頻繁に使用される。これらの増強装置は中間及び高域の周波数の再生に特に好適である。ホーン又は音響導波管は、電気音響変換器（すなわち、スピーカ又は圧力室ドライバ）が接続される喉と、音が外部の媒体へと伝えられる口との間で画定される。ホーン又は音響導波管の形状は、喉と口の間の断面の拡張量、すなわち喉と口の間の伝播軸に沿った断面の変化量を表す関数によって特徴付けることができる。その関数は、線形関数、指数関数、又は他の関数であり得る。その関数は、一般的に喉と口の間において増加関数である。上記３つのパラメータ、すなわち、喉の面積と、口の面積と、拡張関数とは、ホーン又は導波管の出口における音響波の分散を決定する。一般的な原則として、分散は拡張するほど増加する。低周波数においては、分散制御は口の面積の増加に伴って改善される。高周波数においては、分散制御は喉の面積の減少に伴って改善される。
【０００３】
最適な分散特性は、音響増強装置の設置場所の構成により異なる。したがって、音響技師のノウハウの重要な部分は、最も適切な分散特性を持った音響増強装置を選択することにある。従って、音響技師は多数の全く異なる特性の、特に、ホーン又は音響導波管の形状及び寸法が異なる音響増強装置を用意しておかなければならない。本発明はこの問題を解決するものである。本発明の基本的な構想は、上記パラメータの１つ以上、特に、ホーン又は導波管の拡張関数を部分的に変更することで、音響増強装置の分散特性を適合させることができるということである。
【発明の開示】
【課題を解決するための手段】
【０００４】
この目的のために、本発明においては、電気音響変換器が接続される喉と、音が外部の媒体へと伝えられる口との間に画定されるホーン又は音響導波管を有する電気音響増強装置は、取り外し可能な分散整形部材を構成し、喉と口の間のホーン又は導波管の内壁に装着するように形成された、ホーン又は導波管の内部形状を変更するための、少なくとも１つの形状形成部材を含むことを特徴とする。
【０００５】
上記形状形成部材は、新しい拡張関数を規定する可変形状導管とすることができる。上記形状形成部材はホーン又は音響導波管の内部に挿入され、固定される。好適な実施形態においては、ホーン又は導波管の互いに対向する内壁に装着可能な２つの形状形成部材が使用される。
【０００６】
その結果、上記種類の１つの形状形成部材又は形状形成部材の組は音響増強装置の分散特性を変える。この分散特性は、稼動場所の構成に応じて分散特性を最適化するように技術者によって選択された、複数の形状形成部材又は形状形成部材の複数組によって決定されてもよい。
【０００７】
例えば、喉と口の間を延伸する対称面を持つホーン又は導波管を備える種類の音響増強装置においては、２つの上記形状形成部材を、ホーン又は導波管の内壁に互いに対称に、且つ前記対称面が保たれる位置に固定することが可能である。
【０００８】
以下、この形状形成部材のさまざまな形状について説明する。
１以上の上記形状形成部材を装着するのに少なくとも適合した本発明の音響増強装置の、上記ホーン又は導波管は、分散アダプタを構成する少なくとも１つの形状形成部材を固定するための手段を含むことを特徴とする。例えば、ナットとボルト型又は接着性又は磁性部材を用いる結合手段が使用される。
【０００９】
例として示した以下の説明と、添付の図面とから、本発明がより理解でき、また、本発明の他の利点が明らかになるであろう。
【発明を実施するための最良の形態】
【００１０】
図１〜図５は、比較的剛性のホーン１３を有し、ホーンの背面の喉と呼ばれる小開口１７に接続された電気音響変換器１５（音響発生器とも呼ばれる）を備えた、電気音響増強装置１１を示す図である。ホーン１３は変換器１５に対して固定されている。ホーンの内部は、音が外部の媒体へと伝えられるおおよそ長方形の口１９に向かって広がっている。音の伝播軸は、喉の中心と口の中心とを通ると規定することができる。この種の伝播軸ｙ'ｙが図６、図７に図示されている。この軸に沿ったホーンの断面の変化量は上記拡張関数によって表される。すなわち、ホーンは、内面の形状と寸法とによって決まる所定の拡張関数を有する。この拡張関数はホーン（又は、電気音響変換器がホーンに接続されていない場合は音響導波管）の分散特性に大きく影響する上記パラメータの１つである。
【００１１】
本発明の重要な特徴によれば、音響増強装置は、喉１７と、口１９との間のホーン又は導波管の内壁に装着するように形成された、分散アダプタを構成する少なくとも１つの形状形成部材２１を組み込むことにより完成される。この種の１以上の形状形成部材を挿入、固定することにより、ホーン又は導波管の内部形状、及び結果として分散特性を、稼動場所の構成に応じて適合させることが出来る。本実施例では、２つの形状形成部材２１a、２１ｂが使用され、これらは前記ホーンの内壁の対向する類似の面２５a、２５ｂにそれぞれ装着されるように適合されている。本実施例では、ホーンは喉と口の間を延伸する対称面Pを有する。２つの形状形成部材２１a、２１ｂは対称であり、前記対称面Pを保つ位置において、上記２つの面２５a、２５ｂに、それぞれ装着することが可能である。言い換えれば、図１に示すホーンの内壁の対称面Pは、図５に示すように部分変更された、すなわち、形状形成部材２１a、２１ｂが組み込まれたホーンの内壁の対称面でもある。
【００１２】
本実施例では、各形状形成部材は、その形状形成部材が固定されたときに対称面Pに実質的に平行な第１のガイド面２７と、前記第１のガイド面につながり、第１のガイド面と二面鈍角を成す第２のガイド面２９とを有する。なお、前記第２のガイド面２９は非常に僅かにカーブしている。
【００１３】
図６に図示した例では、各形状形成部材１２１a、１２１ｂは、ホーンの内壁１３の平面に対して傾いたガイド平面３０を有する。前記ガイド平面と内壁の平面は喉１７の近傍で交わる。一方、図７の変更例では、各形状形成部材２２１a、２２１ｂは、ホーンの喉１７の直近傍において前記対称面と実質的に平行な喉部分３４と、対称面から離れていく口部分３６とから成るカーブした形状のガイド面３２を有する。ここで、ガイド面３２は喉部分３４から始まる。２つの部分３４、３６は、不連続なく連結する。
【００１４】
ホーンの内壁に形状形成部材を固定するための、いくつかの方法が考えられる。図１〜図５の例では、一方のホーン１３（又は導波管）と、他方の形状形成部材２１a、２１ｂ（のそれぞれ、又は一方）とがナットとボルト型結合手段を含む。従って、ホーンの壁又は各形状形成部材に形成された穴は、ネジ部又はナットが嵌め込まれた部分を有するかも知れない。ここで、形状形成部材の穴は、ホーンの壁の穴４２と係合する支柱４０内に形成されている。ナットがホーンに取り付けられると、ボルトの頭は、形状形成部材に形成された孔の中に形成された肩の上に載る。
【００１５】
又は、一方のホーン（又は導波管）及び／又は他方の形状形成部材（のそれぞれ、又は一つ）が、両面接着テープ等の接着性結合手段を含んでもよい。
【００１６】
他の実施例においては、一方のホーン（又は導波管）及び／又は他方の形状形成部材（のそれぞれ、又は一つ）が、磁性部材を用いた結合手段を含む。例えば、鉄、鋼等の磁性を持った金属からホーンが作られている場合は、形状形成部材は磁化したパッドを備えてもよい。この逆に形状形成部材が磁性金属から作られ、ホーンが磁化したパッドを備えてもよい。また、ホーンと、形状形成部材とが、協同する磁化したパッド対を備えてもよい。
【００１７】
図５〜図７から分かるように、形状形成部材をホーン内に配置することにより、ホーンの本来の内面の代わりに新たな内面を規定し、その拡散関数を部分変更する。この拡散関数の部分変更は、音響増強装置の分散特性を適合させる。電気音響変換器に接続されたホーン（又は導波管）が、分散アダプタを構成する少なくとも１つの形状形成部材を固定する手段を備えている場合、電気音響変換器が接続される喉と、音が外部の媒体へと伝えられる口との間に画定されるホーン（又は導波管）を有するいかなる音響増強装置も、本発明の範囲に入るのは勿論である。
【図面の簡単な説明】
【００１８】
【図１】図１は、本来の音響分散特性を部分変更するための２つの相補型形状形成部材を備えた、本発明のホーン音響増強装置の概略の展開斜視図である。
【図２】図２は、１つの上記形状形成部材の前面図である。
【図３】図３は、上記形状形成部材の側面図である。
【図４】図４は、上記形状形成部材の斜視図である。
【図５】図５は、ホーン内部に配置された上記２つの形状形成部材を示す図１と同様の斜視図である。
【図６】図６は、変更例の概略図である。
【図７】図７は、変更例の概略図である。
【国際公開パンフレット】
2004537939.tif 000003
2004537939.tif 000004
2004537939.tif 000005
2004537939.tif 000006
2004537939.tif 000007
2004537939.tif 000008
2004537939.tif 000009
2004537939.tif 000010
2004537939.tif 000011
2004537939.tif 000012
2004537939.tif 000013
2004537939.tif 000014
2004537939.tif 000015
【国際調査報告】
2004537939.tif 000016
2004537939.tif 000017
2004537939.tif 000018
2004537939.tif 000019
2004537939.tif 000020
2004537939.tif 000021